(57)【特許請求の範囲】
【請求項１】
第１の情報記録再生手段と、情報転送レート及び情報蓄積容量が前記第１の情報記録再生手段の情報転送レート及び情報蓄積容量より小さい第２の情報記録再生手段とを備える情報記録再生装置において、入力情報の記録時、該入力情報を平均情報転送レートが第１の値になるように圧縮して前記第１の情報記録再生手段に記録すると同時に、該入力情報を平均情報転送レートが第１の値より小さい第２の値になるように圧縮して前記第２の情報記録再生手段に記録し、前記入力情報の再生時、前記第１の情報記録再生手段を優先させて前記入力情報を再生する制御手段を有することを特徴とする情報記録再生装置。
【請求項２】
前記第１及び第２の情報記録再生手段は、入力情報の記録時、該入力情報の再生に使用する管理情報を生成し記憶する手段をそれぞれ有することを特徴とする請求項１に記載の情報記録再生装置。
【請求項３】
前記第１の情報記録再生手段による前記入力情報の再生または消去終了後に、該入力情報を保存する命令が外部から入力された際に前記管理情報の一部又は全部を前記第２の情報記録再生手段に記録することを特徴とする請求項２に記載の情報記録再生装置。
【請求項４】
前記入力情報の前記第１及び第２の情報記録再生手段への記録が終了した時に、前記管理情報を前記第２の情報記録再生手段に記録し、前記第１の情報記録再生手段による前記入力情報の再生又は消去終了後に、前記入力情報を消去する命令が外部から入力された際に前記管理情報の一部又は全部を前記第２の情報記録再生手段から消去することを特徴とする請求項２に記載の情報記録再生装置。
【請求項５】
前記入力情報の前記第１及び第２の情報記録再生手段への記録の終了後、前記入力情報の再生命令が外部から初めて入力された際に、前記第１の情報記録再生手段から前記入力情報を再生し、その後に前記管理情報を前記第１の情報記録再生手段から消去することを特徴とする請求項３又は４に記載の情報記録再生装置。
【請求項６】
前記入力情報の再生時、前記第１及び第２の情報記録再生手段にそれぞれ記録されている管理情報を比較する手段を備え、一致する場合には、前記第１の情報記録再生手段から前記入力情報を再生し、一致しない場合には前記第２の情報記録再生手段から前記入力情報を再生することを特徴とする請求項３又は４に記載の情報記録再装置。
【請求項７】
前記第１の情報記録再生手段は、固定記録媒体として磁気ディスクを用いる磁気ディスク装置であり、前記第２の情報記録再生手段は、可搬型記録媒体として光ディスクを用いる光ディスク装置であることを特徴とする請求項１から６のいずれかに記載の情報記録再生装置。
【発明の詳細な説明】
【０００１】
【発明の属する技術分野】
本発明は、映像信号及び音声信号等を含む情報を、光ディスク、磁気ハードディスク等の媒体に圧縮して記録し再生する情報記録再生装置に関する。
【０００２】
【従来の技術】
近年、磁気ディスクを記録媒体とするハードディスクドライブや、書き換え型ディジタルバーサタイルディスク（以下、書き換え型ＤＶＤという）に代表される大容量の光ディスク装置を用いて、例えばＭＰＥＧ（Moving Picture Experts Group）２等の情報圧縮方式によって圧縮した映像信号や音声信号等を記録及び再生する情報記録再生装置が実用化されている。また、ハードディスクドライブと光ディスク装置等の異なる種類の情報記録再生手段を組み合わせた装置も開発されている。
【０００３】
図５に、例えば特開平１０−２４３３５２号公報に開示されるような従来の情報記憶再生装置の概略構成を示す。同図において、１はアナログまたはディジタルの映像信号及び音声信号等を含む情報を入力する情報入力端子、２はアナログ／ディジタル変換を行なうＡ／Ｄ変換器、１５は入力された情報をＭＰＥＧ２等に従い圧縮する圧縮回路、１６は圧縮された情報を一時記憶する記録用バッファメモリ、１７はハードディスクドライブ、２３は書き換え型ＤＶＤドライブ、１９は再生された情報を一時記憶する再生用バッファメモリ、２０は圧縮された情報を伸長する伸長回路、１０はディジタル／アナログ変換を行なうＤ／Ａ変換器、１１はアナログまたはディジタルの映像信号及び音声信号等を含む情報を出力する情報出力端子、１２はマイクロコンピュータやメモリから構成される制御手段、１３はリモコンやフロントパネルのボタン等の操作部である。
【０００４】
上記の従来の情報記録再生装置においては、情報入力端子１に入力される情報はＡ／Ｄ変換器２に供給され、それがアナログ信号である場合はディジタル信号に変換され、圧縮回路１５に供給される。圧縮回路１５ではこの情報をＭＰＥＧ２等の情報圧縮方式を用いて圧縮し、記録用バッファメモリ１６に転送する。記録用バッファメモリ１６にいったん記憶された情報はハードディスクドライブ１７に一定の時間間隔を置いて間欠的に記録される。また、記録された情報は一定の時間間隔を置いて間欠的に再生され、書き換え型ＤＶＤドライブ２３に転送される。書き換え型ＤＶＤドライブ２３に転送された情報は、一定の時間間隔で記録される。即ち、ハードディスクドライブ１７は、書き換え型ＤＶＤドライブ２３のキャッシュメモリの役割を果たしている。
【０００５】
また、ハードディスクドライブ１７を単にキャッシュメモリとして使用するのみならず、放送番組を例えば予約録画等によりハードディスクドライブ１７に録画しておき、後でこの番組を再生して観たときにその内容が気に入ったものであれば、書き換え型ＤＶＤドライブ２３により光ディスクに記録し保存しておくことができるシステムも提案されている。
【０００６】
情報記録再生装置のハードディスクドライブ１７として、現在２０ＧＢ程度の容量のものを用いることができる。また、書き換え型ＤＶＤドライブ２３の記録媒体である光ディスクの容量は、ＤＶＤ−ＲＷ方式では４．７ＧＢであり、例えば３時間の放送番組を１枚の光ディスクに録画するときには、圧縮回路１５から出力される情報の転送レートは、この光ディスクの容量に合わせ、平均約３Ｍｂｐｓに設定される。
【０００７】
ＭＰＥＧ２等の情報圧縮方式を用いて情報を圧縮し記録する場合、圧縮された情報の転送レートを高い値に設定すれば、再生時、この情報を伸長するときに良好な結果が期待できる。すなわち、その情報が画像情報であれば高画質で、音声情報であれば高音質で再生できるので、圧縮回路から出力される情報の転送レートはできるだけ高くすることが好ましい。
【０００８】
放送時間の短い番組を録画する場合は、圧縮回路１５から出力される情報の転送レートを３Ｍｂｐｓより大きくすることができる。しかし、ハードディスクドライブ１７の情報転送レートは数十Ｍｂｐｓ以上であるのに対し、書き換え型ＤＶＤドライブ２３の情報転送レートは、等倍速ドライブの場合、１１．０８Ｍｂｐｓであるので、図５に示したような構成の情報記録再生装置では、圧縮回路１５から出力される情報の転送レートは、この書き換え型ＤＶＤドライブ２３の情報転送レートに合わせて、最大でも１１．０８Ｍｂｐｓ以下に設定する必要がある。
【０００９】
【発明が解決しようとする課題】
以上説明したように、ハードディスクドライブと光ディスク装置等のデータ転送速度の異なる複数の情報記録再生手段を組み合わせた従来の情報記録再生装置では、圧縮回路１５から出力される情報の転送レートを、書き換え型ＤＶＤ媒体の容量あるいは書き換え型ＤＶＤドライブ２３の情報転送レートに合せて低い値に設定する必要があり、ハードディスクドライブ１７のような大容量且つ情報転送レートの高い記録再生手段を装置内に有しているにもかかわらず、充分な高画質及び高音質が期待できる高い情報転送レートで番組を録画・再生することができない。
【００１０】
このような問題に対処するため、ハードディスクドライブに例えば１４Ｍｂｐｓ程度の高い情報転送レートで番組を録画しておき、後にユーザが再生してその情報が気に入った内容であれば、情報転送レートが１１．０８Ｍｂｐｓ以下になるように再度圧縮して書き換え型ＤＶＤドライブに転送し、光ディスク等の番組保存用の可搬型媒体に記録するシステムも提案されている。このようにすれば、ユーザは予約録画した番組を、ハードディスクドライブから高画質・高音質で再生して視聴することができ、且つ、光ディスク等の可搬型媒体に保存しておくこともできる。
【００１１】
上記したように、ハードディスクドライブに高い情報転送レートで一旦情報を記録するようにすれば、圧縮回路から出力される情報の情報転送レートは書き換え型ＤＶＤドライブ２３の情報転送レートに制限されることなく、高い値に設定できる。しかし、再生後、ユーザがそれを書き換え型ＤＶＤのような可搬型媒体に保存しようとすると、その情報を再生しながら書き換え型ＤＶＤドライブ２３の情報転送レートに適合するように再度圧縮し、書き換え型ＤＶＤドライブ２３に転送して記録する処理が必要となるため、ユーザはその処理が終了するまで装置からディスクを取り出したり、交換したりすることができなくなる。
【００１２】
本発明の課題は、情報転送レートの異なる複数の情報記録再生手段を有する情報記録再生装置において、高い情報転送レートを有する記録再生手段による情報のの高画質・高音質での録画・再生が可能であるとともに、該録画された情報の別の情報記録再生手段への記録・保存が必要である場合、簡単な操作により該記録・保存を瞬時に完了させることのできる情報記録再生装置を提供することである。
【００１３】
【課題を解決するための手段】
上記課題は、第１の情報記録再生手段と、情報転送レート及び情報蓄積容量が前記第１の情報記録再生手段の情報転送レート及び情報蓄積容量より小さい第２の情報記録再生手段とを備える情報記録再生装置において、入力情報の記録時、該入力情報を平均情報転送レートが第１の値になるように圧縮して前記第１の情報記録再生手段に記録すると同時に、該入力情報を平均情報転送レートが第１の値より小さい第２の値になるように圧縮して前記第２の情報記録再生手段に記録し、前記入力情報の再生時、前記第１の情報記録再生手段を優先させて前記入力情報を再生する制御手段を有することを特徴とする情報記録再生装置により解決される。
【００１４】
前記第１及び第２の情報記録再生手段は、入力情報の記録時、該入力情報の再生に使用する管理情報を生成し記憶する手段をそれぞれ有することができる。
【００１５】
前記第１の情報記録再生手段による前記入力情報の再生または消去終了後に、該入力情報を保存する命令が外部から入力された場合には前記管理情報の一部又は全部を前記第２の情報記録再生手段に記録することができる。
【００１６】
前記第１及び第２の情報記録再生手段への前記入力情報の記録が終了したときに、前記管理情報を前記第２の情報記録再生手段に記録し、前記第１の情報記録再生手段による前記入力情報の再生又は消去終了後に、前記入力情報を消去する命令が外部から入力された場合には前記管理情報の一部又は全部を前記第２の記録再生手段から消去することができる。
【００１７】
前記入力情報の前記第１及び第２の情報記録再生手段への記録の終了後、前記入力情報の再生命令が外部から初めて入力された際に、前記第１の情報記録再生手段から前記入力情報を再生し、その後に前記管理情報を前記第１の情報記録再生手段から消去することができる。
【００１８】
前記入力情報の再生時、前記第１及び第２の情報記録再生手段にそれぞれ記録されている管理情報を比較する手段を備え、一致する場合には、前記第１の情報記録再生手段から前記入力情報を再生し、一致しない場合には前記第２の情報記録再生手段から前記入力情報を再生することができる。
【００１９】
前記第１の情報記録再生手段は、固定記録媒体として磁気ディスクを用いる磁気ディスク装置であり、前記第２の情報記録再生手段は、可搬型記録媒体として光ディスクを用いる光ディスク装置であってもよい。
【００２０】
【発明の実施の形態】
実施の形態１．
図１に、本発明の情報記録再生装置の実施の形態１の構成を示す。同図において、１は情報入力端子、２はＡ／Ｄ変換器、３は第１の情報記録再生手段、４は第1の情報記録再生手段の情報入力端子、５は第1の情報記録再生手段の情報出力端子、６は第２の情報記録再生手段、７は第２の情報記録再生手段の情報入力端子、８は第２の情報記録再生手段の情報出力端子、１０はＤ／Ａ変換器、９は第１の情報記録再生手段３及び第２の情報記録再生手段６から出力される再生情報の一方を選択してＤ／Ａ変換器１０に供給する再生情報切替回路、１１は情報出力端子、１２は制御部、１３は操作部、１４は装置の動作状況等を表示するための表示部である。
【００２１】
先ず、上記構成を有する情報記録再生装置のプログラム（番組）の録画動作を図１を用いて説明する。ここでは、情報入力端子１に、３時間の長さの音声を伴う映像信号であるプログラムＡが入力されるものとする。情報入力端子１に入力されるプログラムＡの録画開始の指示がユーザにより操作部１３から入力されると、入力されたプログラムＡはまずＡ／Ｄ変換器２に供給され、それがアナログ信号である場合はディジタル信号に変換され、第１の情報記録再生手段３と第２の情報記録再生手段６に同時に供給される。なお、情報入力端子１から入力されるプログラムＡがディジタル信号からなる場合は、該プログラムＡはＡ／Ｄ変換器２でＡ／Ｄ変換の処理を施されることなく、そのまま第１の情報記録再生手段３及び第２の情報記録再生手段６に同時に供給される。
【００２２】
第１の情報記録再生手段３が記録媒体として磁気ハードディスク等の固定型媒体を備える場合の該第１の情報記録再生手段３の記録動作を図２を参照して説明する。図２に示すように、第１の情報記録再生手段は、圧縮回路１５、記録用バッファメモリ１６、ハードディスクドライブ１７、管理情報用バッファメモリ１８、再生用バッファメモリ１９及び伸長回路２０から構成される。ハードディスクドライブ１７は、例えば情報蓄積容量２０ＧＢ、情報転送レート６０Ｍｂｐｓの性能を有するものを用いることができる。
【００２３】
第1の情報記録再生手段の情報入力端子４に入力されたプログラムＡは、圧縮回路１５に供給され、ＭＰＥＧ２方式に従い圧縮される。ハードディスクドライブ１７の情報蓄積容量は十分に大きいので、圧縮回路１５で圧縮されて転送される映像及び音声情報の転送レートを例えば、高画質及び高音質での再生が期待できる１４Ｍｂｐｓに設定しても、約３時間のプログラムを記録することができる。
【００２４】
上記したようにハードディスクドライブ１７の情報転送レートは６０Ｍｂｐｓであり、圧縮回路１５で圧縮されて転送される情報の転送レート（１４Ｍｂｐｓ）の４倍以上であるので、圧縮回路１５で圧縮されたプログラムＡは、直接ハードディスクドライブ１７に連続的に書き込まれるのではなく、一旦記録用バッファメモリ１６に記憶され、この記録用バッファメモリ１６から間欠的に読み出されてハードディスクドライブ１７に書き込まれる。
【００２５】
また、圧縮回路１５でプログラムＡを圧縮するとき、記録中のストリームに関する情報やハードディスクに書き込まれた情報を検索するための情報等を含む管理情報が生成される。この管理情報は、後にプログラムＡを第１の情報記録再生手段３によって再生するときに用いられる。本実施の形態１では、上記管理情報は生成後、直ちにハードディスクドライブ１７に供給され記録されるのではなく、一旦管理情報用バッファメモリ１８に記憶され、プログラムＡのハードディスクへの記録終了後に該ハードディスクの所定の管理情報領域に記録される。
【００２６】
次に、第２の情報記録再生手段６が、例えばＤＶＤ−ＲＷ等の可搬型媒体を用いる場合の該第２の情報記録再生手段６の記録動作を図３を参照して説明する。図３に示すように、第２の情報記録再生手段は、圧縮回路２１、記録用バッファメモリ２２、書き換え型ＤＶＤドライブ２３、管理情報用バッファメモリ２４、再生用バッファメモリ２５及び伸長回路２６から構成される。書き換え型ＤＶＤドライブ２３は、情報蓄積容量４．７ＧＢ、転送レート１１．０８Ｍｂｐｓのものを用いることができる。
【００２７】
第２の情報記録再生手段の情報入力端子７に入力されたプログラムＡは、圧縮回路２１に供給され、ＭＰＥＧ２方式に従い圧縮される。書き換え型ＤＶＤドライブ２３は、ハードディスクドライブ１７に比べて情報蓄積容量及び情報転送レートが小さいので、３時間程度のプログラムを記録する場合には、圧縮回路２１で圧縮されて転送される映像及び音声情報の転送レートを平均３Ｍｂｐｓに設定する。これは、ユーザが満足できる十分な高画質が期待される情報転送レートであるとは言い難いが、圧縮回路２１での圧縮処理を、圧縮された情報の情報転送レートを常に一定とする、いわゆる固定ビットレート圧縮ではなく、画像信号の性質によって情報転送レートを動的に変化させる、いわゆる可変ビットレート圧縮とすること等により、ある程度は改善することができる。
【００２８】
書き換え型ＤＶＤドライブ２３の情報転送レートは１１．０８Ｍｂｐｓであり、圧縮回路２１で圧縮される情報の情報転送レート（平均３Ｍｂｐｓ）の３．５倍以上である。従って、上記の第１の情報記録再生手段３のハードディスクドライブ１７の場合と同様、圧縮回路２１により圧縮されたプログラムＡは、直接書き換え型ＤＶＤドライブ２３に連続的に書き込まれるのではなく、一旦記録用バッファメモリ２２に記憶され、該記録用バッファメモリ２２から間欠的に読み出されて書き換え型ＤＶＤドライブ２３に転送され書き込まれる。
【００２９】
第１の情報記録再生手段３の圧縮回路１５の場合と同様、圧縮回路２１によりプログラムＡが圧縮されるとき、記録中のストリームに関する情報やＤＶＤ媒体上に記録された情報を検索するための情報等を含む管理情報が生成される。この管理情報は、後にプログラムＡを第２の情報記録再生手段６によって再生するときに用いられる。本実施の形態１では、この管理情報は発生後直ちに書き換え型ＤＶＤドライブ２３に転送され記録されるのではなく、いったん管理情報用バッファメモリ２４に記憶され、後述するように、ユーザがプログラムＡをＤＶＤ媒体に記録保存することを決定したときに該ユーザからの指示に従ってＤＶＤ媒体の所定の管理情報領域に記録される。
【００３０】
このようにして、情報入力端子１から入力されたプログラムＡは、第１の情報記録再生手段３により１４Ｍｂｐｓという高いビットレートで固定型媒体であるハードディスクに記録されると同時に、第２の情報記録再生手段６により平均３Ｍｂｐｓのビットレートで可搬型媒体である光ディスクに記録される。前述したように、プログラムＡの記録が終了した時点で、ハードディスクに記録されたプログラムＡに関する管理情報が管理情報用バッファメモリ１８から読み出されてハードディスクドライブ１７へ転送され、ハードディスクの所定の管理情報領域に記録される。
【００３１】
次に、プログラムＡの再生動作を説明する。ユーザからのプログラムＡの再生開始の指示が操作部１３を介して入力されると、制御手段１２は、その指示がプログラムＡの録画後、初めてのものであるか否かを調べ、初めての指示である場合は、制御手段１２は第１の記録再生手段３に対し、プログラムＡの再生開始の指示を出すとともに、再生情報切替回路９のａ側端子を選択して、第１の情報記録再生手段３の情報出力端子５から出力されるプログラムＡがＤ／Ａ変換器１０に供給されるようにする。制御手段１２からの指示を受けた第１の情報記録再生手段３は、プログラムＡに関する管理情報をハードディスクドライブ１７から読み出して管理情報用バッファメモリ１８に転送する。第１の情報記録再生手段３は、管理情報用バッファメモリ１８内の管理情報を参照してプログラムＡを再生し、再生用バッファメモリ１９に転送する。
【００３２】
なお、前述したように、ハードディスクドライブ１７の情報転送レートは６０Ｍｂｐｓであり、伸長回路２０がプログラムＡの連続的伸長を行うのに要する情報転送レート（１４Ｍｂｐｓ）の４倍以上である。従って、プログラムＡはハードディスクドライブ１７から間欠的に再生されて一旦再生用バッファメモリ１９に記憶され、１４Ｍｂｐｓの情報転送レートで再生用バッファメモリ１９から連続的に読み出されて伸長回路２０に転送される。伸長回路２０はプログラムＡをＭＰＥＧ２方式に従って伸長し、第１の情報記録再生手段の情報出力端子５に転送する。
【００３３】
第１の情報記録再生手段３の情報出力端子５から出力されるプログラムＡは、再生情報切替回路９に転送される。前述したように再生情報切替回路９ではａ側端子が選択されているので、プログラムＡはＤ／Ａ変換器１０に転送され、ディジタル信号からアナログ信号に変換される。アナログ信号に変換されたプログラムＡは情報出力端子１１から外部に出力される。なお、外部に出力される信号をディジタル信号とする場合は、プログラムＡはＤ／Ａ変換器１０でＤ／Ａ変換処理を施されることなく、そのまま情報出力端子１１に転送される。
【００３４】
このようにして、ハードディスクドライブ１７と書き換え型ＤＶＤドライブ２２に同時に供給され記録されたプログラムＡは、その記録終了後、初めてユーザが再生の指示を出した場合には、第１の情報記録再生手段３により高い情報転送レートでプログラムＡが再生され、ユーザは高画質及び高音質で再生されたプログラムＡを視聴することができる。尚、前述したように管理情報用バッファメモリ１８には、プログラムＡに関する管理情報が予めハードディスクから読み出され記憶されているので、この管理情報を利用することによりユーザは再生したいシーンを検索する等の操作を行うこともできる。
【００３５】
ハードディスクに記録されたプログラムＡの第１回目の再生または消去が終了した後、制御手段１２はプログラムＡを保存しておくか否かをユーザに尋ねるために表示手段１４にその旨の表示を行う。ここで、ユーザは、視聴したプログラムＡを、ＤＶＤ媒体に保存しておくか否かを決定する。
【００３６】
ユーザがプログラムＡを保存しておく旨の指示を操作部１３に入力した場合、その指示は制御手段１２に転送される。制御手段１２は書き換え型ＤＶＤドライブ２３に記録されているプログラムＡに関する管理情報を、管理情報バッファメモリ２４から読み出し、書き換え型ＤＶＤドライブ２３に転送してＤＶＤ媒体の所定の管理情報領域に記録する。その後、ＤＶＤ媒体は書き換え型ＤＶＤドライブ２３から排出され、ユーザはプログラムＡが保存されたＤＶＤ媒体を手にすることができる。
【００３７】
また、ハードディスクに記録されたプログラムＡの第１回目の再生または消去の終了後、ユーザがプログラムＡを保存しない旨の指示を操作部１３に入力した場合には、書き換え型ＤＶＤドライブ２３に記録されているプログラムＡに関する管理情報は管理情報バッファメモリ２４から消去され、書き換え型ＤＶＤドライブ２３に挿入されているＤＶＤ媒体は次回の情報記録に使用される。
【００３８】
更に、第１の情報記録再生手段３のハードディスクドライブ１７からのプログラムＡの第１回目の再生が終了した後、ハードディスクの管理情報領域に記録されている管理情報は自動的に消去され、ハードディスクドライブ１７内のハードディスクは、次回の情報記録に使用される。
【００３９】
このプログラムＡが記録されたＤＶＤ媒体は、ユーザが再度プログラムＡの再生を指示した場合に用いられるものであり、書き換え型ＤＶＤドライブ２３によってプログラムＡが再生される。以下にその動作を説明する。プログラムＡが記録されているＤＶＤ媒体が書き換え型ＤＶＤドライブ２３に挿入されると、書き換え型ＤＶＤドライブ２３はプログラムＡに関する管理情報を読み出して管理情報用バッファメモリ２４に転送する。
【００４０】
ユーザによりプログラムＡの再生開始の指示が操作部１３から入力されると、制御手段１２は第２の情報記録再生手段６に対しプログラムＡの再生開始の指示を出すとともに、再生情報切替回路９のｂ側端子を選択して、第２の情報記録再生手段の情報出力端子８から出力されるプログラムＡがＤ／Ａ変換器１０に転送されるようにする。制御手段１２からの指示を受けた第２の情報記録再生手段６は、管理情報用バッファメモリ２４内の管理情報を参照して書き換え型ＤＶＤドライブ２３によりＤＶＤ媒体内に記録されているプログラムＡを再生し、再生用バッファメモリ２５に転送する。
【００４１】
なお、前述したように、書き換え型ＤＶＤドライブ２３の情報転送レートは１１．０８Ｍｂｐｓであり、伸長回路２６がプログラムＡの連続的伸長を行うのに要する転送レート（平均３Ｍｂｐｓ）の３．５倍以上である。従って、プログラムＡは、書き換え型ＤＶＤドライブ２３から間欠的に読み出されて一旦再生用バッファメモリ２５に記憶され、３Ｍｂｐｓの転送レートで再生用バッファメモリ２５から連続的に読み出されて伸長回路２６に転送される。伸長回路２６はプログラムＡをＭＰＥＧ２方式に従って伸長し、第２の情報記録再生手段の情報出力端子８に転送する。
【００４２】
第２の情報記録再生手段６の情報出力端子８から出力されるプログラムＡは、再生情報切替回路９に転送される。前述したように再生情報切替回路９ではｂ側端子が選択されているので、プログラムＡはＤ／Ａ変換器１０に供給され、ディジタル信号からアナログ信号に変換される。アナログ信号に変換されたプログラムＡは、情報出力端子１１から外部に出力される。尚、外部に出力される信号をディジタル信号とする場合は、プログラムＡはＤ／Ａ変換器１０でＤ／Ａ変換処理を施されることなく、そのまま情報出力端子１１に転送される。
【００４３】
このようにして、ハードディスクドライブ１７と書き換え型ＤＶＤドライブ２３に同時に供給され、記録されたプログラムＡは、ユーザから２回目以降の再生指示が出された場合、第２の情報記録再生手段６により再生され、ユーザは再度プログラムＡを視聴することができる。前述したように、第２の管理情報用バッファメモリ２４には、プログラムＡに関する管理情報が予めＤＶＤ媒体から読み出され記憶されているので、この管理情報を利用することによりユーザは再生したシーンを検索する等の操作を行うことができる。
【００４４】
以上説明したように、本実施の形態１によれば、ユーザは録画したプログラムを初めて再生するときには高画質及び高音質で視聴することができ、また、該プログラムを可搬型媒体に保存しておけば、該プログラムを繰り返し視聴することができる。また、ユーザが可搬型媒体にプログラムを保存しておくことを決定した場合、従来の装置のように、該プログラムを再度圧縮しながら可搬型媒体に転送し、記録する処理が不要であり、ユーザは、プログラムの最初の再生後、簡単な指示を装置に入力するだけで瞬時に可搬型媒体への記録が完了し、該プログラムを保存した可搬型媒体を装置から直に取り出すことができる。
【００４５】
尚、本実施の形態１では、プログラムＡのハードディスクへの記録が終了した時点で、管理情報用バッファメモリ１８内の管理情報をハードディスクの所定の管理情報領域に記録するようにしているが、管理情報をハードディスクに記録することなく、管理情報用バッファメモリ１８に記録した状態で利用するようにしてもよい。この場合、ハードディスクに記録されたプログラムＡの再生は、プログラムＡの記録動作終了後、装置の電源が落とされ、装置の電源が再投入されてから行われる場合もあるので、管理情報用バッファメモリ１８は電源を切っても記憶内容が消失しないタイプのものを用いることが望ましい。
【００４６】
また、本実施の形態１では、第２の情報記録再生手段の管理情報用バッファメモリ２４内の管理情報を、プログラムＡの記録終了後、ユーザの指示に従いＤＶＤ媒体の管理情報領域に記録するようにしているが、プログラムＡの記録が終了した時点で自動的にＤＶＤ媒体の管理情報領域に記録し、後でユーザがプログラムＡを保存しないことを決定した場合にＤＶＤ媒体から管理情報を消去するようにしてもよい。
【００４７】
さらに、本実施の形態１では管理情報用バッファメモリ２４内の管理情報の全てを、プログラムＡの記録終了後、ユーザの指示に従いＤＶＤ媒体の管理情報領域に記録するようにしたが、これを、操作部１３に入力されたユーザの指示に従い、管理情報の一部を選択してＤＶＤ媒体の管理情報領域に記録するようにしてもよい。
【００４８】
また、本実施の形態１では書き換え型ＤＶＤドライブ２３によりディスクから読み出したプログラムＡに関する管理情報を管理情報用バッファメモリ２４に記憶するようにしたが、読み出した管理情報をハードディスクドライブ１７に転送して記録するようにしてもよい。
【００４９】
さらに、本実施の形態１では第１の情報記録再生手段３として磁気ハードディスクドライブを用いるものを使用し、第２の情報記録再生手段６として書き換え型ＤＶＤドライブを用いるものを使用したが、これらに代えて半導体メモリ等で構成される記録再生手段や光磁気ディスク装置等の他のタイプのディスク記録再生装置を使用することもできる。
【００５０】
実施の形態２．
上記の実施の形態１では、第１の情報記録再生手段３のハードディスクドライブ１７に記録されたプログラムＡの第１回目の再生が終了した後、ハードディスクの管理情報領域に記録されている管理情報を自動的に消去するようにしたが、以下に説明する実施の形態２では、管理情報を自動的に消去せずに残しておくことにより、ユーザが再びプログラムＡの再生を指示した場合、第１の情報記録再生手段３にプログラムＡが消去されることなく残っている場合は、この管理情報を用いて優先的に第１の情報記録再生手段３からプログラムＡを再生するようにしている。
【００５１】
図４に、本発明の情報記録再生装置の実施の形態２の構成を示す。実施の形態２は、その入力が第１の情報記録再生手段３及び第２の情報記録再生手段６に接続され、出力が制御手段１２に接続された管理情報比較手段２７を備える点で実施の形態１と異なる。管理情報比較手段２７はマイクロコンピュータ等から構成され、第１の情報記録再生手段３の管理情報用バッファメモリ１８の内容と第２の情報記録再生手段６の管理情報用バッファメモリ２４の内容とを比較する機能を有する。他の構成要素は図１と同一であるので、再度の説明は行わない。
【００５２】
また、この実施の形態２の情報の記録動作は実施の形態１と同様であるので、その説明は省略する。実施の形態２の装置の特徴は、録画したプログラムの再生指示が初めてユーザから出された際の動作及び該指示が再びユーザから出された際の動作にある。
【００５３】
ユーザからのプログラムＡの再生開始の指示が操作部１３を介して入力されると、制御手段１２はその指示がプログラムＡの録画終了後初めてのものであるか否かを調べる。それがプログラムＡの録画後、初めてのものである場合は、制御手段１２は第１の記録再生手段３に対しプログラムＡの再生開始の指示を出すとともに、再生情報切替回路９のａ側端子を選択して、第１の情報記録再生手段の情報出力端子５から出力されるプログラムＡがＤ／Ａ変換器１０に転送されるようにする。以下、ハードディスクに記録されたプログラムＡの第１回目の再生が終了するまでの動作は実施の形態１の場合と同様であるので、その説明は省略する。
【００５４】
ハードディスクに記録されたプログラムＡの第１回目の再生が終了した後、ハードディスクの管理情報領域に記録されている管理情報は実施の形態１の場合とは異なり自動的に消去されずにそのまま残される。制御手段１２はユーザに対し、プログラムＡを保存しておくか否かを尋ねるために表示部１４にその旨を表示する。ここで、ユーザは、視聴したプログラムＡをＤＶＤ媒体に保存しておくか否かを決定する。
【００５５】
ユーザがプログラムＡを保存しておく旨の指示を操作部１３に入力した場合、その指示は制御手段１２に転送される。実施の形態１の場合と同様に、制御手段１２は、書き換え型ＤＶＤドライブ２３に記録されているプログラムＡに関する管理情報を管理情報用バッファメモリ２４から読み出し、書き換え型ＤＶＤドライブ２３に転送してＤＶＤ媒体の管理情報領域に記録するようにする。この後、ＤＶＤ媒体が書き換え型ＤＶＤドライブ２３から排出され、ユーザはプログラムＡが保存されたＤＶＤ媒体を手にすることができる。
【００５６】
ユーザがプログラムＡを保存しない旨の指示を操作部１３に入力した場合には、書き換え型ＤＶＤドライブ２３に記録されたプログラムＡに関する管理情報は管理情報バッファメモリ２４から消去され、書き換え型ＤＶＤドライブ２３に挿入されているＤＶＤ媒体は、次回の情報記録に使用される。これと同時に、ハードディスクの管理情報領域に記録されたプログラムＡに関する管理情報も消去され、ハードディスクドライブ１７内のハードディスクは、次回の情報記録に使用される。
【００５７】
次に、ユーザがプログラムＡの再生開始を再び指示した場合の動作について説明する。プログラムＡが保存されているＤＶＤ媒体がＤＶＤドライブ２３に挿入されると、ハードディスクドライブ１７によりハードディスクに記録されているプログラムＡに関する管理情報が読み出されて管理情報用バッファメモリ１８に転送され、また、書き換え型ＤＶＤドライブ２３によりプログラムＡに関する管理情報がＤＶＤ媒体から読み出されて管理情報用バッファメモリ２４に転送される。その後、ユーザからのプログラムＡの再生開始の指示が操作部１３を介して入力されると、制御手段１２は管理情報比較手段２７に対し、管理情報用バッファメモリ１８の内容と管理情報用バッファメモリ２４の内容とを比較するように指示する。
【００５８】
管理情報比較手段２７による比較の結果、第２の管理情報用バッファメモリ２４に記憶された管理情報と管理情報用バッファメモリ１８に記録された管理情報とが一致する場合、それはプログラムＡが第１の情報記録再生手段３に残っていることを示しているので、制御手段１２は第１の情報記録再生手段３に対し、プログラムＡを再生するよう指示を出すとともに、再生情報切替回路９のａ側端子を選択して、第１の情報記録再生手段の情報出力端子５から出力されるプログラムＡがＤ／Ａ変換器１０に転送されるように制御する。制御手段１２からの指示を受けた第１の情報記録再生手段３は、ハードディスクドライブ１７によりハードディスクからプログラムＡを再生し、再生用バッファメモリ１９に転送する。以下の動作は実施の形態１の場合と同様であるので、その説明は省略する。
【００５９】
一方、比較の結果、管理情報用バッファメモリ２４内の管理情報と管理情報用バッファメモリ１８内の管理情報とが一致しない場合、それはプログラムＡが第１の情報記録再生手段３には残っていないことを示しているので、制御手段１２は第２の情報記録再生手段６に対し、プログラムＡを再生するよう指示を出すとともに、再生情報切替回路９のｂ側端子を選択して、第２の情報記録再生手段の情報出力端子８から出力されるプログラムＡがＤ／Ａ変換器１０に転送されるようにする。制御手段１２からの指示を受けた第２の情報記録再生手段６は、書き換え型ＤＶＤドライブ２３によりＤＶＤ媒体からプログラムＡを再生し、再生用バッファメモリ２５に転送する。以下の動作は実施の形態１の場合と同様であるので、その説明は省略する。
【００６０】
以上説明したように、本実施の形態２によれば、ユーザは録画したプログラムを初めて再生する場合には高画質及び高音質で視聴することができると同時に、第１の情報記録手段にそのプログラムが残っている限り、高画質及び高音質で繰り返し視聴することができる。また、ユーザが可搬型媒体にプログラムを保存しておくことを決定した場合、実施の形態１の場合と同様、従来の装置のように該プログラムを再度圧縮して書き換え型ＤＶＤドライブに転送し、可搬型媒体に記録する処理が不要であり、ユーザは、プログラムの最初の再生後、簡単な指示を装置に入力するだけで瞬時に可搬型媒体への記録が完了し、該プログラムが記録保存された可搬型媒体を装置から直に取り出すことができる。
【００６１】
なお、本実施の形態２では管理情報比較手段２７を制御部１３から独立した手段として構成したが、制御部１２を構成するマイクロコンピュータの能力が十分高い場合は制御手段１２が管理情報比較手段２７を兼ねることもできる。
【００６２】
また、本実施の形態２では、管理情報用バッファメモリ１８及び２４の内容比較動作を、プログラムＡの再生指示をユーザが操作部１３に入力した後に行なうようにしているが、プログラムＡが保存されたＤＶＤ媒体がＤＶＤドライブ２３に挿入され、書き換え型ＤＶＤドライブ２３からプログラムＡに関する管理情報が読み出されて管理情報用バッファメモリ２４に転送され、ハードディスクドライブ１７からハードディスクに記録されているプログラムに関する管理情報が読み出されて管理情報用バッファメモリ１８に転送された後に、直ちにこの比較動作を行なうようにしてもよい。
【００６３】
【発明の効果】
請求項１に記載の発明によれば、入力情報の記録時、情報転送レートの異なる第１及び第２の情報記録再生手段に同じ入力情報を同時に供給してそれぞれ記録し、該入力情報の再生時、情報転送レートの高い第１の情報記録再生手段からの再生が可能であれば、この第１の情報記録再生手段を優先的に選択するので、録画内容を高画質・高音質で再生でき、且つ、同時に入力情報を別の第２の情報記録再生手段に保存しておくことができる。
【００６４】
請求項２に記載の発明によれば、請求項1に記載の発明の効果に加えて、第１及び第２の情報記録再生手段のそれぞれが、情報の再生に必要な管理情報を生成し記憶することができる。
【００６５】
請求項３に記載の発明によれば、請求項１に記載の発明の効果に加えて、録画内容を第１の情報記録再生手段により再生して確認した後、ユーザが例えば光ディスク等の可搬型記録媒体を使用する第２の情報記録再生手段への保存を望む場合、簡単な操作により可搬型記録媒体への記録・保存を瞬時に完了させ、該入力情報を保存した光ディスクを直ちに装置から取り出すことができる。
【００６６】
請求項４に記載の発明によれば、請求項２に記載の発明の効果に加えて、入力情報を第１の情報記録再生手段に録画しながら、同時に保存のために第２の情報記録再生手段にも記録することができるとともに、後でユーザが入力情報を保存しないことを決定した場合は、第２の情報記録再生手段から管理情報を消去することにより、直ちに該第２の情報記録再生手段を次の記録・保存に使用することができる。
【００６７】
請求項５に記載の発明によれば、請求項３又は４に記載の発明の効果に加えて、ユーザは、録画した番組を初めて再生するときは高画質及び高音質で視聴できるとともに、第１の情報記録再生手段を次の番組の記録に使用することができる。
【００６８】
請求項６に記載の発明によれば、請求項３又は４に記載の発明の効果に加えて、第１の情報記録再生手段に入力情報が残っているか否かを確認し、残っている場合には該第１の情報記録再生手段により高画質・高音質で再生することができる。
【００６９】
請求項７に記載の発明によれば、請求項１から６のいずれかに記載の発明の効果に加えて、大容量・高転送レートの第１の情報記録再生手段及び、媒体の交換が可能な第２の情報記録再生手段を得ることができる。
【図面の簡単な説明】
【図１】  本発明の情報記録再生装置の実施形態１の構成を示すブロック図である。
【図２】  図１の情報記録再生装置の第１の情報記録再生手段の構成を示すブロック図である。
【図３】  図１の情報記録再生装置の第２の情報記録再生手段の構成を示すブロック図である。
【図４】  本発明の情報記録再生装置の実施形態２の構成を示すブロック図である。
【図５】  従来の情報記録再生装置の構成を示すブロック図である。
【符号の説明】
１  情報入力端子、２  Ａ／Ｄ変換器、３  第1の情報記録再生手段、４  第1の情報記録再生手段の情報入力端子、５  第1の情報記録再生手段の情報出力端子、６  第２の情報記録再生手段、７  第２の情報記録再生手段の情報入力端子、８  第２の情報記録再生手段の情報出力端子、９  再生情報切替回路、１０  Ｄ／Ａ変換器、１１  情報出力端子、１２  制御手段、１３  操作部、１４  表示部、１５  圧縮回路、１６  記録用バッファメモリ、１７  ハードディスクドライブ、１８  管理情報用バッファメモリ、１９  再生用バッファメモリ、２０伸長回路、２１  圧縮回路、２２  記録用バッファメモリ、２３  書き換え型ＤＶＤドライブ、２４  管理情報用バッファメモリ、２５  再生用バッファメモリ、２６  伸長回路、  ２７  管理情報比較手段。
【図１】
0003862480.tif 000002
【図２】
0003862480.tif 000003
【図３】
0003862480.tif 000004
【図４】
0003862480.tif 000005
【図５】
0003862480.tif 000006